【手続補正書】
【提出日】平成17年2月9日(2005.2.9)
【手続補正１】
【補正対象書類名】明細書
【補正対象項目名】発明の名称
【補正方法】変更
【補正の内容】
【発明の名称】景品獲得ゲーム装置
【手続補正２】
【補正対象書類名】明細書
【補正対象項目名】特許請求の範囲
【補正方法】変更
【補正の内容】
【特許請求の範囲】
【請求項１】
複数の景品が吊り下げられた景品収容部と、該景品収容部の前側に配置されプレイヤが操作する操作部と、該操作部の操作に応じて前記景品収容部に吊り下げられた複数の景品のうち任意の景品を落下させる景品払出し機構とを有する景品獲得ゲーム装置において、
前記景品払出し機構は、
前記景品が吊下される複数のフックと、
該複数のフックのうち一のフックを回動させて前記景品を落下させるフック回動部と、
を備え、
前記複数のフックは、前記景品収容部内の複数箇所で水平方向に並設され、各列が装置正面に対して前後方向に所定間隔ずらすと共に、上下方向にも所定間隔ずらした位置に配置されたことを特徴とする景品獲得ゲーム装置。
【請求項２】
前記複数のフックは、前記景品収容部内に並設された複数の支持部材に支持され、
複数の支持部材は、夫々水平方向に延在する状態で異なる高さ位置に設けられ、且つ前記操作部に対して異なる距離で離間する位置に支持されたことを特徴とする請求項１記載の景品獲得ゲーム装置。
【請求項３】
前記支持部材は、前記フックを取り付ける取付面を前面及び後面に形成したことを特徴とする請求項２記載の景品獲得ゲーム装置。
【請求項４】
前記フック回動部は、
駆動部と、
該駆動部により前記複数のフックの並設方向に駆動されるタイミングベルトと、
該タイミングベルトに締結され、前記駆動部により前記タイミングベルトが駆動されると共に前記複数のフックの並設方向に移動し、前記フックとの係合により前記複数のフックのうち一のフックを回動させる移動体とを備え、
前記移動体の移動位置に対向する一のフックを回動させて前記景品を落下させることを特徴とする請求項１乃至３何れかに記載の景品獲得ゲーム装置。
【請求項５】
前記フック回動部は、
前記複数のフックの並設方向に延在するガイドレールと、
該ガイドレールの延在方向に移動可能に設けられた駆動部材と、
該駆動部材の駆動力により前方向に駆動され前記フックの背面を押圧するプランジャとを備え、
前記駆動部材の移動位置に対向する一のフックを前記プランジャにより押圧して回動させて前記景品を落下させることを特徴とする請求項１乃至３何れかに記載の景品獲得ゲーム装置。
【請求項６】
前記景品払出し機構は、ゲームの結果に応じて複数のフックのうち一のフックを回動させて前記景品を落下させることを特徴とする請求項１乃至５何れかに記載の景品獲得ゲーム装置。
【手続補正３】
【補正対象書類名】明細書
【補正対象項目名】００１１
【補正方法】変更
【補正の内容】
【００１１】
【課題を解決するための手段】
上記課題を解決するために本発明では、下記の手段を講じたことを特徴とするものである。
請求項１記載の発明は、複数の景品が吊り下げられた景品収容部と、該景品収容部の前側に配置されプレイヤが操作する操作部と、該操作部の操作に応じて前記景品収容部に吊り下げられた複数の景品のうち任意の景品を落下させる景品払出し機構とを有する景品獲得ゲーム装置において、
前記景品払出し機構は、
前記景品が吊下される複数のフックと、
該複数のフックのうち一のフックを回動させて前記景品を落下させるフック回動部と、
を備え、
前記複数のフックは、前記景品収容部内の複数箇所で水平方向に並設され、各列が装置正面に対して前後方向に所定間隔ずらすと共に、上下方向にも所定間隔ずらした位置に配置されたことを特徴とするものである。
【手続補正４】
【補正対象書類名】明細書
【補正対象項目名】００１２
【補正方法】変更
【補正の内容】
【００１２】
従って、上記請求項１記載の発明によれば、景品払出し機構が景品が吊下される複数のフックと、複数のフックのうち一のフックを回動させて景品を落下させるフック回動部とを備えており、複数のフックが、景品収容部内の複数箇所で水平方向に並設され、各列が装置正面に対して前後方向に所定間隔ずらすと共に、上下方向にも所定間隔ずらした位置に配置されたため、比較的小さな駆動力で景品を払出しすることができる。すなわち、一つの景品が吊下された一のフックのみを回動させる駆動力があれば良いので、駆動部の負担を軽減することができると共に構成の簡略化を図ることができる。さらに、水平方向に並設された複数のフックに各景品が吊下されるため、ゲーム装置正面から景品が見やすく、プレイヤが獲得可能な景品の確認が容易に行える。
【手続補正５】
【補正対象書類名】明細書
【補正対象項目名】００１３
【補正方法】変更
【補正の内容】
【００１３】
上記請求項２記載の発明は、前記複数のフックが、前記景品収容部内に並設された複数の支持部材に支持され、複数の支持部材が、夫々水平方向に延在する状態で異なる高さ位置に設けられ、且つ前記操作部に対して異なる距離で離間する位置に支持されたことを特徴とするものである。
【手続補正６】
【補正対象書類名】明細書
【補正対象項目名】００１４
【補正方法】変更
【補正の内容】
【００１４】
従って、請求項２記載の発明によれば、複数のフックが、景品収容部内に並設された複数の支持部材に支持され、複数の支持部材が、夫々水平方向に延在する状態で異なる高さ位置に設けられ、且つ操作部に対して異なる距離で離間する位置に支持されたため、より多くの景品を吊るすことが可能になり、しかも多数の景品が見やすい状態に吊るすことができる。
【手続補正７】
【補正対象書類名】明細書
【補正対象項目名】００１５
【補正方法】変更
【補正の内容】
【００１５】
また、請求項３記載の発明は、前記支持部材が、前記フックを取り付ける取付面を前面及び後面に形成したことを特徴とするものである。
従って、請求項３記載の発明によれば、支持部材の前面及び後面に複数のフックが取り付けられるため、より多くの景品を吊るすことができ、ゲーム店側での景品の補充回数を減らして景品管理を容易にすることができる。
【手続補正８】
【補正対象書類名】明細書
【補正対象項目名】００１６
【補正方法】変更
【補正の内容】
【００１６】
また、請求項４記載の発明は、前記フック回動部が、
駆動部と、
該駆動部により前記複数のフックの並設方向に駆動されるタイミングベルトと、
該タイミングベルトに締結され、前記駆動部により前記タイミングベルトが駆動されると共に前記複数のフックの並設方向に移動し、前記フックとの係合により前記複数のフックのうち一のフックを回動させる移動体とを備え、
前記移動体の移動位置に対向する一のフックを回動させて前記景品を落下させることを特徴とするものである。
従って、請求項４記載の発明によれば、駆動部によりタイミングベルトが駆動されると共に移動体が複数のフックの並設方向に移動し、フックとの係合により複数のフックのうち一のフックを回動させるため、景品の払出しが容易に行えると共に駆動部の負担を軽減することができる。
【手続補正９】
【補正対象書類名】明細書
【補正対象項目名】００１７
【補正方法】変更
【補正の内容】
【００１７】
また、請求項５記載の発明は、前記フック回動部が、
前記複数のフックの並設方向に延在するガイドレールと、
該ガイドレールの延在方向に移動可能に設けられた駆動部材と、
該駆動部材の駆動力により前方向に駆動され前記フックの背面を押圧するプランジャとを備え、
前記駆動部材の移動位置に対向する一のフックを前記プランジャにより押圧して回動させて前記景品を落下させることを特徴とするものである。
従って、請求項５記載の発明によれば、ガイドレールの延在方向に移動可能に設けられた駆動部材の駆動力によりプランジャが前方向に駆動されフックの背面を押圧するため、景品の払出しが容易に行えると共に駆動部の負担を軽減することができる。
【手続補正１０】
【補正対象書類名】明細書
【補正対象項目名】００１８
【補正方法】変更
【補正の内容】
【００１８】
また、請求項６記載の発明は、前記景品払出し機構が、ゲームの結果に応じて複数のフックのうち一のフックを回動させて前記景品を落下させることを特徴とするものである。
従って、請求項６記載の発明によれば、景品払出し機構がゲームの結果に応じて複数のフックのうち一のフックを回動させて景品を落下させるため、ゲームの結果が当たりとでるか、あるいはハズレとでるかによって景品を獲得できたり、獲得できない場合もあるので、ゲーム結果がでるまで楽しむことができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００７５
【補正方法】変更
【補正の内容】
【００７５】
【発明の効果】
上述の如く、上記請求項１記載の発明によれば、景品払出し機構が景品が吊下される複数のフックと、複数のフックのうち一のフックを回動させて景品を落下させるフック回動部とを備えており、複数のフックが、景品収容部内の複数箇所で水平方向に並設され、各列が装置正面に対して前後方向に所定間隔ずらすと共に、上下方向にも所定間隔ずらした位置に配置されたため、比較的小さな駆動力で景品を払出しすることができる。すなわち、一つの景品が吊下された一のフックのみを回動させる駆動力があれば良いので、駆動部の負担を軽減することができる。これにより、従来よりも重量のある大きな景品をフックに吊下させることができ、景品の種類を増やしてゲームの景品を魅力的なものとすることができる。また、多数の景品を吊るすことが可能ととなるが、景品を掛止する一のフックを回動させて景品を払出しするため、駆動部を大型化せず、コンパクトな構成とすることができる。さらに、水平方向に並設された複数のフックに各景品が吊下されるため、ゲーム装置正面から景品が見やすく、プレイヤが獲得可能な景品の確認が容易に行える。
【手続補正１８】
【補正対象書類名】明細書
【補正対象項目名】００７６
【補正方法】変更
【補正の内容】
【００７６】
また、請求項２記載の発明によれば、複数のフックが、景品収容部内に並設された複数の支持部材に支持され、複数の支持部材が、夫々水平方向に延在する状態で異なる高さ位置に設けられ、且つ操作部に対して異なる距離で離間する位置に支持されたため、より多くの景品を吊るすことが可能になり、しかも多数の景品が見やすい状態に吊るすことができる。さらに、比較的小さな景品と大きな景品を選択的に吊るすことができ、景品の種類を増やしてゲームの景品を魅力的なものとすることができる。
【手続補正１９】
【補正対象書類名】明細書
【補正対象項目名】００７７
【補正方法】変更
【補正の内容】
【００７７】
また、請求項３記載の発明によれば、支持部材の前面及び後面に複数のフックが取り付けられるため、より多くの景品を吊るすことができ、ゲーム店側での景品の補充回数を減らして景品管理を容易にすることができる。さらに、支持部材の前面及び後面に複数のフックが取り付けられるため、より多くの景品を吊るすことができ、ゲーム店側での景品の補充回数を減らして景品管理を容易にすることができる。
また、請求項４記載の発明によれば、駆動部によりタイミングベルトが駆動されると共に移動体が複数のフックの並設方向に移動し、フックとの係合により複数のフックのうち一のフックを回動させるため、景品の払出しが容易に行えると共に駆動部の負担を軽減することができる。
【手続補正２０】
【補正対象書類名】明細書
【補正対象項目名】００７８
【補正方法】変更
【補正の内容】
【００７８】
また、請求項５記載の発明によれば、ガイドレールの延在方向に移動可能に設けられた駆動部材の駆動力によりプランジャが前方向に駆動されフックの背面を押圧するため、景品の払出しが容易に行えると共に駆動部の負担を軽減することができる。
また、請求項６記載の発明によれば、景品払出し機構がゲームの結果に応じて複数のフックのうち一のフックを回動させて景品を落下させるため、ゲームの結果が当たりとでるか、あるいはハズレとでるかによって景品を獲得できたり、獲得できない場合もあるので、ゲーム結果がでるまで楽しむことができる。
【手続補正２１】
【補正対象書類名】明細書
【補正対象項目名】００７９
【補正方法】削除
【補正の内容】
【手続補正２２】
【補正対象書類名】明細書
【補正対象項目名】００８０
【補正方法】削除
【補正の内容】
【手続補正２３】
【補正対象書類名】明細書
【補正対象項目名】００８１
【補正方法】削除
【補正の内容】